(57)【特許請求の範囲】
【請求項１】
臀部の二つの膨らみ部分には一枚のサテンネット生地により被覆し、この臀部の二つの膨らみ部分より上方及び腹部にはパワーネットの裏生地とサテンネットの表生地の内外二重の生地を用い、上記腹部の左右両側から足口部に至る脚部布には内外２枚のサテンネット生地を使用し、上記腹部のパワーネットの裏生地に連接して臀部上方に至る腰部固定用のパワーネット生地を上記脚部布の腹部左右両側部分の２枚のサテンネット生地で挟んだ三重の生地としたことを特徴とするガードル。
【請求項２】
腹部を覆うように左右両側が外向き円弧形に膨出形成された腹部布の表側をサテンネット生地とし、裏側には同形の伸縮力の強いパワーネット生地が配設され、この表裏二枚の生地からなる腹部布の上縁はウエストテープ下縁に縫着され、該腹部布の左右両側縁には臀部側を除いて内外２枚のサテンネット生地からなる左右両脚部布の前側の股部より上方の側縁部と上記した円弧状に互いに縫着され、また該腹部布の下縁部は股布に縫着され、
上記左右脚部布は上端がウエストテープに縫着され、下方は太腿を通す下端足口部に至り、該脚部布の左右の表側生地だけは上記腹部布の左右両側縁から臀部側に至り、臀部溝の縦中心線において互いに縫着され、かつ股布より下方の内外２枚の脚部布は内腿の縦中心線で互いに縫着され、
腰部を締め付け固定するためのパワーネット生地よりなる腰部固定布の上縁はウエストテープに縫着され、該腰部固定布の前側は上記内外二重の腹部布の左右両側縁の全長わたって縫着され、その下辺は上記脚部布の腰部前側の内外２枚のサテンネット生地の中間を通るようにほぼ鼠径線に沿って延び、更に該腰部固定布の後側はヒップの膨らみを避けるように上向き円弧形に形成されて臀溝の縦中心線縫着部の上部に縫着され、
上記左右の脚部布のうち、上方が臀部側にまで至る表側のサテンネット生地の一部をなす左右のヒップ部の臀部上方は上記パワーネット生地の腰部固定布の臀部側に形成された上向き円弧形に合致する円弧形に該腰部固定布に縫着され、また上記ヒップ部の下部は下向き円弧形に形成されて上記脚部布の裏側サテンネット生地に縫着されて、臀部の二つの膨らみは上記表側のサテンネット生地のみによって被覆されるようにしてなることを特徴とする請求項１記載のガードル。
【請求項３】
前記左右の脚部布を構成する内外２枚のサテンネット生地の下端足口部には、それぞれ所定幅のヘムが形成され、該内外２枚からなる脚部布の内側生地は外側生地より短く、該内側生地下端部が外側生地のヘムの上辺部近傍又はそれよりやや上側までの長さとする請求項１又は２記載のガードル。
【請求項４】
前記左右の脚部布を構成する内外２枚のサテンネット生地はその裏面どうしを全体にわたって向い合せるように構成してなる請求項１、２又は３のいずれかに記載のガードル。
【発明の詳細な説明】
【技術分野】
【０００１】
本発明は、腹部を押え臀部を持上げて腰全体の線を美しく補整するための下着であるガードルに関し、特に太腿部分が両脚を滑らかに通すことができる共に、太腿部分を適度な強さで引き締めることができて、着用後に太腿部分に部分的な締め付け跡も残らないようにしたガードルに関するものである。
【背景技術】
【０００２】
従来、いわゆるスタンダードガードルやロングガードルのように太腿部分の上半部又は全体を締め付けるタイプのガードルでは、腰部に用いられるものと同様に、比較的太い糸径を有する伸縮力が強いスパンデックス糸等のポリウレタン弾性糸などをネット状に編成したいわゆるパワーネット生地を、太腿部分にも使用されることが多い。
【０００３】
しかし、このパワーネットを太腿部にも使用すると、これを着用したときに、太腿部への締め付け力が強過ぎ、脚を通すガードル下端の足口部にヘムを形成したり伸縮性のレース生地を縫着しても、着用後の太腿部にはパワーネットによる締め付け跡が残ってしまい、見栄えも悪い場合があった。
【先行技術文献】
【特許文献】
【０００４】
【特許文献１】特開平８−１２７９０３号号公報
【特許文献２】特開２００９−１１４５８９号公報
【発明の概要】
【発明が解決しようとする課題】
【０００５】
本発明は、腰部、腹部への締め付けは強く、ヒップアップ機能も有しながら、太腿部に対しては適度な強さで締め付けを行うようにして、太腿部には締め付け跡が残るようなこともない新規なガードルを提案するものである。
【課題を解決するための手段】
【０００６】
そのため、本発明では、伸縮力の強い上記パワーネット生地と、このパワーネットより糸径が細く伸縮力がパワーネットより弱くて、編成したときにしなやかで肌触りも滑らかなサテンネット生地との２種類の生地を使用するもので、ヒップの二つの膨らみ部分には一枚のサテンネット生地を用い、このヒップの二つの膨らみ部分より上部及び腹部には内側パワーネット生地と外側サテンネット生地の内外二重の生地使いとし、腰骨近傍から足口部に至る脚部布には二枚のサテンネット生地を使用し、上記腰骨近傍部分だけは上記腹部のパワーネット生地と接続するパワーネット生地を上記脚部布の二枚のサテンネット生地で挟んだ三重の生地とするものである。
【０００７】
即ち、本発明は、腹部を覆うように左右両側が外向き円弧形に膨出形成された腹部布の表側をサテンネット生地とし、裏側には同形の伸縮力の強いパワーネット生地が配設され、この表裏二枚の生地からなる腹部布の上縁はウエストテープ下縁に縫着され、該腹部布の左右両側縁には臀部側を除いて内外２枚のサテンネット生地からなる左右両脚部布の前側の股部より上方の側縁部と上記した円弧状に互いに縫着され、また該腹部布の下縁部は股布に縫着され、上記左右脚部布は上端がウエストテープに縫着され、下方は太腿を通す下端足口部に至り、該脚部布の左右の表側生地だけは上記腹部布の左右両側縁から臀部側に至り、臀部溝の縦中心線において互いに縫着され、かつ股布より下方の内外２枚の脚部布は内腿の縦中心線で互いに縫着され、腰部を締め付け固定するためのパワーネット生地よりなる腰部固定布の上縁はウエストテープに縫着され、該腰部固定布の前側は上記内外二重の腹部布の左右両側縁の全長わたって縫着され、その下辺は上記脚部布の腰部前側の内外２枚のサテンネット生地の中間を通るようにほぼ鼠径線に沿って延び、更に該腰部固定布の後側はヒップの膨らみを避けるように上向き円弧形に形成されて臀溝の縦中心線縫着部の上部に縫着され、上記左右の脚部布のうち、上方が臀部側にまで至る表側のサテンネット生地の一部をなす左右のヒップ部の臀部上方は上記パワーネット生地の腰部固定布の臀部側に形成された上向き円弧形に合致する円弧形に該腰部固定布に縫着され、また上記ヒップ部の下部は下向き円弧形に形成されて上記脚部布の裏側サテンネット生地に縫着されて、臀部の二つの膨らみは上記表側のサテンネット生地のみによって被覆されるようにしてなることを特徴とするガードルに関するものである。
【０００８】
また、本発明のガードルでは、上記した左右の脚部布を構成する内外２枚のサテンネット生地の下端足口部には、それぞれ所定幅のヘムを形成し、該内外２枚からなる脚部布のうちの内側生地は外側生地より短くし、かつ脚部布を構成する内外２枚のサテンネット生地はその裏面どうしを全体にわたって向い合せるようにするものである。
【発明の効果】
【０００９】
以上のように構成された本発明に係るガードルは、膨らんだ腹部やこの腹部から臀部上方にかけては、内側に配設した伸縮力の強いパワーネット生地と、外側のサテンネット生地との内外２枚の伸縮性生地によって、腹部と腰部を引き締め、特に、左右両側の腰骨近傍は、上記パワーネット生地の腰部固定布がその内外両側から脚部布の上方を形成する内外２枚のサテンネット生地の間に挟まれた三重の生地によって更に強く締め付けられ支持固定されるので、腰周りをしっかり引き締めて美しい姿勢をサポートでき、また臀部も内外２枚のサテンネット生地からなる脚部布の上方の締め付け力によってヒップアップ効果が得られる。
【００１０】
また、本発明によれば、臀部の２つの膨らみは、伸縮力がパワーネット生地よりも弱い左右脚部布の外側のサテンネット生地の一部を構成する左右ヒップ部の１枚だけで臀部を被覆するように構成されているので、ヒップトップをつぶすことなく自然なヒップラインを作ることができる。
【００１１】
しかも、本発明によれば、上記左右の脚部布は、しなやかで肌触りの滑らかな内外２枚のサテンネット生地からなるので、パワーネット生地を使用した場合と比較して、太腿部を程よく引き締めることができ、またこの内外２枚の脚部布は下端部にヘムを形成した足口部の位置に上下に段差を付け、内側生地を外側生地よりも若干短くしてあるので、外部からは脚部布に２枚の生地を使用したことが分からず、パワーネット生地を使用した場合のように太腿部に締め付け跡が残るような問題も少ない。
【図面の簡単な説明】
【００１２】
【図１】本発明に係るガードルの一実施例を示す正面説明図である。
【図２】図１のガードルを裏返して見た状態を示す正面説明図である。
【図３】図１のガードルの背面説明図である。
【図４】図１のガードルを裏返して見た状態を示す背面説明図である。
【図５】図１のガードルの側面説明図である。
【図６】図１のガードルを裏返して見た状態を示す側面説明図である。
【発明を実施するための形態】
【００１３】
以下、本発明にかかるガードルの一実施例として、いわゆるロングタイプのガードルについて説明する。
【００１４】
図中符号１は、腹部を覆うように左右両側が外向き円弧形に膨出形成された腹部布で、該腹部布１の表側は上記サテンネット生地１ａとし、裏側には同形の上記パワーネット生地１ｂが配設され、この表裏二枚の生地１ａ、１ｂはその上縁がウエストテープ２下縁に縫着２ａされ、その左右両側縁は後記する内外２枚からなる左右脚部布５の前側の股部より上方の側縁部と共に上記した円弧状に互いに縫着３ａ、３ｂされ、該腹部布１の下縁部は股布４に縫着されている（図１，２，５，６参照）。上記股布４は、本実施例では、肌と接する内面は綿生地として、その表側にはサテンネット生地を使用した内外２枚の生地を使用している。
【００１５】
なお、ウエストテープ２は伸縮性のものであれば、ポリウレタン糸を使用した１枚のゴム帯状のものでも、あるいは上記サテンネット生地を折り返して二重とした帯状のものであってもよい。
【００１６】
５は上方が上記該腹部布１の左右両側縁に接し、上端がウエストテープ２に縫着６され、下方は太腿を通す下端足口部に至る左右２つの脚部布で、該脚部布５は臀部側を除いて内外２枚のサテンネット生地５ａ、５ｂから構成されてなり、この内外２枚の脚部布５ａ、５ｂの上方腹部側は上記腹部布１左右の円弧状縫着部３ａ、３ｂに縫着され、左右の表側生地５ａ、５ａだけは腹部布１の左右両側縁から臀部側に至り、臀部溝の縦中心線において互いに縫着７され、また股布４より下方の内外２枚の脚部布５ａ、５ｂは内腿の縦中心線で互いに縫着９されている（図３、４参照）。
【００１７】
８は腰部を締め付け固定するためのパワーネット生地よりなる腰部固定布で、その上縁はウエストテープ２に縫着され、該腰部固定布８の前側は上記内外二重の腹部布１の左右両側縁３ａ，３ｂの全長わたって縫着され、その下辺は脚部布５の腰部前側の内外２枚のサテンネット生地５ａ、５ｂの中間を通るようにほぼ鼠径線８ａに沿って延び（図１、２参照）、更に後側はヒップの膨らみを避けるように上向き円弧形８ｂに形成されて臀溝の縦中心線縫着部７の上部７ａに縫着されており（図４参照）、これにより、パワーネット生地は該腰部固定布８と上記腹部布１の裏側生地との接続で、腰部を一周することとなる。
【００１８】
そして、このパワーネットの腰部固定布８は、上記腹部布１のパワーネット生地１ｂと同様に、前記した表側のサテンネット生地の裏側に配設されているので、表側には露呈しない。
【００１９】
５ｃは左右の脚部布５のうち、上方が臀部側にまで至る表側のサテンネット生地５ａの一部をなす左右のヒップ部で、該ヒップ部５ｃのヒップ上部は上記パワーネット生地の腰部固定布８の臀部に形成された上向き円弧形８ｂに合致する上向き円弧形に該腰部固定布８に縫着され、またヒップ下部は下向き円弧形５ｆに形成されて裏側サテンネット生地５ｂに縫着され、パワーネット生地より伸縮力の弱いこの表側のサテンネット生地５ａの１枚のみによって、臀部の二つの膨らみをつぶさないようにしている。
【００２０】
また、上記左右の脚部布５を構成する内外２枚のサテンネット生地５ａ、５ｂの下端足口部には、それぞれ所定幅（例えば１〜３ｃｍ幅）でほつれ防止用のヘム５ｄ、５ｅが形成され、かつその内側生地５ｂは外側生地５ａより下方が若干短かく、例えば内側生地５ｂのヘム５ｅ下辺は外側生地５ａのヘム５ｄの上辺部近傍に達するか、あるいはそれよりやや上側までの長さとし、これにより、足口部はヘム５ｄと５ｅとによって上下に段差が形成されているので、着用した際に内側生地５ｂ下部が外部からは見えず、また足口部による太腿部への締め付け力も分散されるので、締め付け跡が残らないようにしてある。
【００２１】
さらに、左右脚部布５の外側と内側のサテンネット生地５ａ、５ｂは、多少ザラ面となっている裏面同志をその全体にわたって向い合せるようにし、脚を通したときに、内側生地５ｂの滑らかな生地表面が脚肌と接触することにより、肌触り良くスムーズに脚を通すことができ、外側生地５ａがめくり上ったり、しわが寄ったりしないようにして、内側生地５ｂが外部に露呈しないように構成されている。
【００２２】
本発明のガードルは、上述したところから分かるように、膨らんだ腹部やこの腹部から臀部上方にかけては、内側に配設した伸縮力の強いパワーネット生地（１ｂと８）と、外側のサテンネット生地（１ａと５ａ上部）との内外２枚の伸縮性生地によって、腹部と腰部を引き締め、特に、左右両側の腰骨近傍は、上記パワーネット生地の腰部固定布８がその内外両側から脚部布５の上方を形成する内外２枚のサテンネット生地５ａ、５ｂの間に挟まれた三重の生地によって更に強く締め付けられ支持固定されるので、腰周りをしっかり引き締めて美しい姿勢をサポートでき、また臀部も側面上端部がウエストテープ２に縫着された内外２枚のサテンネット生地５ａ、５ｂからなる脚部布５の上方の締め付け力によってヒップアップ効果が得られる。
【００２３】
また、臀部の２つの膨らみは、伸縮力がパワーネット生地よりも弱い左右脚部布５の外側のサテンネット生地５ａの一部を構成する左右ヒップ部５ｃの１枚だけで臀部を被覆するように構成されているので、ヒップトップをつぶすことなく自然なヒップラインを作ることができる。
【００２４】
しかも、左右の脚部布５は、しなやかで滑らかな内外２枚のサテンネット生地５ａ、５ｂからなるので、パワーネット生地を使用した場合と比較して、太腿部を程よく引き締めることができ、またこの内外２枚の脚部布５ａ、５ｂは下端部にヘムを形成した足口部の位置に上下に段差を付け、内側生地５ｂを外側生地５ａよりも若干短くしてあるので、外部からは脚部布に２枚の生地を使用したことが分からず、パワーネット生地を使用した場合のように太腿部に締め付け跡が残るようなこともない。
【符号の説明】
【００２５】
１−腹部布
１ａ−表側のサテンネット生地の腹部布
１ｂ−裏側のパワーネット生地の腹部布
２−ウエストテープ
３−円弧状縫着部
４−股布
５−脚部布
６−縫着部
７−臀部溝縦中心線の縫着部
８−腰部固定布
９−縫着部
【図１】
0005544657.tif 000002
【図２】
0005544657.tif 000003
【図３】
0005544657.tif 000004
【図４】
0005544657.tif 000005
【図５】
0005544657.tif 000006
【図６】
0005544657.tif 000007